(57)【要約】  本願は、リサイクル面及び発光面によって画定されたリサイクルキャビティと、キャビティ内の光源と、を含む、照明装置に関する。スペクトル修正層は、リサイクル面の一部分上にあり、このスペクトル修正層は、リサイクル面のスペクトル応答とは異なるスペクトル応答を生じる。一部の実施形態では、スペクトル修正層は、発光領域から放射されている光のスペクトル特性を、光源のスペクトル特性から変える一部の実施形態では、スペクトル修正層は、光源スペクトルに沿って光の一部分を選択的に吸収する。一部の実施形態では、スペクトル修正層は、スペクトル修正層が吸収した波長よりも長い波長で光を再放射する。
2015505416.tif 000002
【特許請求の範囲】
【請求項１】
照明装置であって、
リサイクル面及び発光面によって画定されたリサイクルキャビティと、
前記キャビティ内の光源と、
前記リサイクル面の一部分上のスペクトル修正層であって、前記リサイクル面のスペクトル応答とは異なるスペクトル応答を生じる、スペクトル修正層と、を含む、照明装置。
【請求項２】
前記スペクトル修正層は、発光領域から放射されている光のスペクトル特性を、前記光源のスペクトル特性から変える、請求項１に記載の装置。
【請求項３】
前記スペクトル修正層は、光源スペクトルに沿って光の一部分を選択的に吸収する、請求項１に記載の装置。
【請求項４】
前記スペクトル修正層は、該スペクトル修正層が吸収した波長よりも長い波長で、光を再放射する、請求項３に記載の装置。
【請求項５】
前記スペクトル修正層は蛍光材料である、請求項４に記載の装置。
【請求項６】
前記スペクトル修正層はリン光材料である、請求項４に記載の装置。
【請求項７】
前記スペクトル修正層は着色された層である、請求項３に記載の装置。
【請求項８】
前記スペクトル修正層は５５０ｎｍ未満の波長を吸収する、請求項３に記載の装置。
【請求項９】
前記スペクトル修正層は６００ｎｍ超の波長を吸収する、請求項３に記載の装置。
【請求項１０】
前記スペクトル修正層はインク層である、請求項１に記載の装置。
【請求項１１】
前記スペクトル修正層はテープである、請求項１に記載の装置。
【請求項１２】
前記スペクトル修正層はフィルムである、請求項１に記載の装置。
【請求項１３】
前記発光面が拡散体である、請求項１に記載の装置。
【請求項１４】
前記発光面が微細複製シートである、請求項１に記載の装置。
【請求項１５】
前記発光面がレンズである、請求項１に記載の装置。
【請求項１６】
前記発光面が部分的に鏡である、請求項１に記載の装置。
【請求項１７】
前記光源がＬＥＤである、請求項１に記載の装置。
【請求項１８】
前記光源が蛍光灯である、請求項１に記載の装置。
【請求項１９】
前記光源がＯＬＥＤである、請求項１に記載の装置。
【請求項２０】
前記光源がエレクトロルミネセント層である、請求項１に記載の装置。
【請求項２１】
ライトボックスのスペクトル応答を修正する方法であって、
面によって画定されたリサイクルキャビティを含む照明装置を提供することと、
スペクトル修正層を前記リサイクルキャビティの前記面の少なくとも一部分上に配置することと、を含み、前記スペクトル修正層は、前記リサイクルキャビティの前記面のスペクトル応答とは異なる第１のスペクトル応答を生じ、前記ライトボックスの前記修正されたスペクトル応答は、前記スペクトル修正層によって被覆される領域によって画定される、方法。
【請求項２２】
前記第１のスペクトル応答とは異なる第２のスペクトル応答を生じる、第２のスペクトル修正層を含む、請求項２１に記載の方法。
【発明の詳細な説明】
【背景技術】
【０００１】
背景技術多くの主要なタイプの照明された看板技術が現在使用されている。ＬＥＤを使用する照明看板に関する１つの潜在的な問題は、利用可能な可視色のスペクトルがＬＥＤの色の有限の利用可能性に限定されるということである。放射した光の色の制御及び色を変化させる能力を含め、ＬＥＤ単独の使用では通常達成することのできない発光色を提供するために、１つ以上の蛍光及び／又はリン光染料を用いる照明装置の使用は既知である。しかしながら、かかる照明装置は複雑である。
【発明の概要】
【課題を解決するための手段】
【０００２】
ＬＥＤのスペクトルを修正することが望ましい。本願は、リサイクル面及び発光面によって画定されたリサイクルキャビティと、キャビティ内の光源と、を含む、照明装置に関する。スペクトル修正層は、リサイクル面の一部分上にあり、このスペクトル修正層は、リサイクル面のスペクトル応答とは異なるスペクトル応答を生じる。一部の実施形態では、スペクトル修正層は、発光領域から放射されている光のスペクトル特性を、光源のスペクトル特性から変える。一部の実施形態では、スペクトル修正層は、光源スペクトルに沿って光の一部分を選択的に吸収する。一部の実施形態では、スペクトル修正層は、スペクトル修正層が吸収した波長よりも長い波長で光を再放射する。
【０００３】
本願はまた、ライトボックスのスペクトル応答を修正する方法に関し、面によって画定されたリサイクルキャビティを含む照明装置を提供することと、スペクトル修正層をリサイクルキャビティの面の少なくとも一部分上に配置することと、を含み、スペクトル修正層は、リサイクルキャビティの面のスペクトル応答とは異なる第１のスペクトル応答を生じ、ライトボックスの修正されたスペクトル応答は、スペクトル修正層によって被覆される領域によって画定される。
【図面の簡単な説明】
【０００４】
本開示の様々な実施形態の以下の詳細な説明を、添付の図面と合せて考慮することで、本開示のより完全な理解が可能である。
【図１】照明装置の断面図である。
【図２】本願の一実施形態による照明装置の断面図である。
【図３】本願の別の実施形態による、照明装置の立面図である。
【図４】本明細書の実施例による照明装置の前面図である。
【０００５】
図面は、必ずしも縮尺に従っていない。
【発明を実施するための形態】
【０００６】
以下の説明において、本明細書の一部を構成し複数の特定の実施形態が例として示される一連の添付図面を参照する。本開示の範囲及び趣旨から逸脱することなく、他の実施形態が検討され、作製され得ることを理解されたい。したがって、以下の詳細な説明は、限定的な意味で解釈されるべきではない。
【０００７】
特に断らない限り、本明細書及び特許請求の範囲で使用される構造の大きさ、量、物理的特性を表わすすべての数字は、すべての場合において「約」なる語により修飾されているものとして理解されるべきである。したがって、そうでないことが示されない限り、上記の明細書及び添付の特許請求の範囲に記載される数値パラメータは、当業者が本明細書に開示される教示を用いて得ようとする所望の特性に応じて異なり得る近似値である。
【０００８】
本明細書及び添付の特許請求の範囲において使用されるとき、単数形「ａ」、「ａｎ」及び「ｔｈｅ」は、その内容が特に明確に指示しない限り、複数の指示対象を有する実施形態を包含する。内容によってそうでないことが明らかに示されない限り、本明細書及び添付の「特許請求の範囲」において使用するところの「又は」なる語は、「及び／又は」を含めた意味で広く用いられる。
【０００９】
本明細書で使用されるとき、ある要素、部材若しくは層が、例えば別の要素、部材若しくは層の「上にある」、これらと「接続される」、「結合される」、若しくは「接触する」として述べられる場合、その要素、部材若しくは層は、例えば、特定の要素、部材若しくは層の直接上にあるか、これらと直接接続されるか、直接結合されるか、直接接触してよく、又は介在する要素、部材若しくは層が特定の要素、部材若しくは層の上にあるか、これらと接続されるか、結合されるか、若しくは接触し得る。例えば、ある要素、部材又は層が、別の要素の「直接上にある」、別の要素に「直接接続される」、「直接結合する」、又は「直接接触する」で始まる表現で表される場合、介在する要素、部材又は層は存在しない。
【００１０】
図１は、参照用に照明装置の断面図を示す。照明装置１０はリサイクルキャビティ１２を有する。リサイクルキャビティ１２は、発光面１４及びリサイクル面１６（ａ、ｂ及びｃ）によって画定される。光源１８は、リサイクル面のうちの１つの上、例えば発光面１４と反対側の面１６ｂ上に位置する。しかしながら、光源は、任意のリサイクル面上であってもよい。
【００１１】
図２は、本願の一実施形態による、照明装置の断面を示す。照明装置２１０は、リサイクルキャビティ２１２を有する。リサイクルキャビティ２１２は、発光面２１４及びリサイクル面２１６（ａ、ｂ及びｃ）によって画定される。光源２１８は、リサイクル面２１６ｂのうちの１つの上に位置する。光源２１８は、一部の実施形態、例えば図１及び２に示されているように複数の光源のアレイである。スペクトル修正層２３０は、光源２１８間でリサイクル面２１６ｂ上に更に位置する。スペクトル修正層は、リサイクル面２１６（ａ、ｂ及びｃ）のいずれか上にあってもよい。
【００１２】
図３は、本願の別の実施形態による、照明装置の断面を示す。照明装置３１０はリサイクルキャビティ３１２を有する。リサイクルキャビティ３１２は、発光面３１４及びリサイクル面３１６（ａ、ｂ及びｃ）によって画定される。光源３１８は、リサイクル面３１６ｂのうちの１つの上に位置する。スペクトル修正層３３０は、光源３１８の選択されたものの間でリサイクル面３１６ｂ上に更に位置する。像３４０は、リサイクルキャビティ３１２の反対側の発光面３１４上である。スペクトル修正層３３０は、像３４０に対して、リサイクル面上に配置される。例えば、像は青い背景における金魚である。光源３１８からの光は次いで、金魚の背後の光に関してのみ修正され得る。とりわけ、魚の背後の光は「より温かい」すなわちより赤であってもよく、青い背後の光は「冷たい」ままであってもよい。
【００１３】
照明装置
照明装置は全体的に発光する物体である。具体例には、照明器具又は照明された看板が挙げられる。照明された看板は、ライトボックス又は看板ボックスと呼ばれることもあり、像及び／又はテキストの表示を強調するために使用される。照明された看板の例は、例えば、空港、大量輸送ステーション、ショッピングモール、及び他の公共の場所において見つけることができる。照明装置は、リサイクル面及び発光面によって画定されたリサイクルキャビティを含む。看板ボックスの用途において、リサイクルキャビティは、図形（像及び／又はテキストを含む）が上に配置されている照明された面を有し、これは発光面である。照明は通常、看板面の背後及びエンクロージャ内に配置された光源によって提供される。図形内の像及び／又はテキストは通常、透明又は半透明部分を含み、照明された看板の上に配置されたときに、それらの可視性を向上させる。
【００１４】
リサイクルキャビティ
本照明源は、リサイクル面及び発光面によって画定されたリサイクルキャビティを含む。全体にリサイクルキャビティは画定面によって囲まれている。リサイクルキャビティは、発光面を通過しなかった光を反射させる目的を果たす。
【００１５】
リサイクル面
リサイクルキャビティにおけるリサイクル面光の５０％超、例えば６０％超、特定の例においては８０％超を反射する任意の面を使用することができる。例えば、面は白色の面であってもよい。
【００１６】
発光面
発光面はキャビティから発光する。看板ボックス用途において、発光面は通常図形を含む。一般に、発光面は第１経路における光の少なくとも約２０％、概ね約２０％〜約４０％を透過する。反射光は次いで、リサイクルキャビティに戻る。
【００１７】
好適な発光面材料の例には、拡散体、微細複製シート、レンズ又は部分的に透過する鏡が挙げられる。
【００１８】
光源
いずれかの発光源を本願のために使用することができる。とりわけ、ＬＥＤ光源が使用される。ＬＥＤは様々な色、赤、黄、緑、青及び白が供給される。可視スペクトルの赤色領域内でより多くの光を備えた白色ＬＥＤは、より温かい色温度であり、より青い光を備えた白色ＬＥＤは、より冷たい色温度である。より冷たい色温度の白色ＬＥＤ（５０００〜１００００Ｋ（４７２７〜９７２７℃））は、より温かい色温度の白色ＬＥＤ（２５００〜５０００Ｋ（２２２７〜４７２７℃））よりも遥かに利用可能であり、より輝度が高く、より効率が高い。一般的に、白色ＬＥＤの色温度が冷たくなればなるほど、ＬＥＤのエネルギー効率が上がる。光源の他の具体例には、蛍光灯、ＯＬＥＤ、及びエレクトロルミネセント層が挙げられる。
【００１９】
スペクトル修正層
スペクトル修正層はリサイクル面の一部分上に配置される。スペクトル修正層は、キャビティ内でリサイクルされた光に対するリサイクル面のスペクトル応答とは異なるスペクトル応答を生じる。スペクトル修正層は、発光領域から放射されている光のスペクトル特性を、光源のスペクトル特性とは異なるように変えることができる。一部の実施形態では、スペクトル修正層は、光源スペクトルに沿って光の一部分を選択的に吸収し、この光の残りを反射する。一部の実施形態では、スペクトル修正層は、光源スペクトルに沿って光の一部分を選択的に吸収し、異なる波長において、この光を再放射する。かかる実施形態では、スペクトル修正層は、スペクトル修正層が吸収した波長よりも長い波長で、光を再放射する。
【００２０】
概ね、スペクトル修正層は、フィルム内に染料又は顔料を含むフィルム、例えば着色されたフィルムである。スペクトル修正層はまたインク層であってもよい。スペクトル修正層は、蛍光材料、リン光材料等を含んでもよい。一部の実施形態では、スペクトル修正層は５５０ｎｍ未満の波長を吸収する。他の実施形態では、スペクトル修正層は６００ｎｍ超の波長を吸収する。
【００２１】
一部の実施形態では、スペクトル修正層は、接着剤が裏打ちされたフィルム、例えばテープである。
【実施例】
【００２２】
この実施例は単に例示目的であり、添付の請求項の範囲を限定することを意味していない。
【００２３】
看板ボックスは、１／２に分割されたＳｌｏａｎのＬＥＤ（Ｓｌｏａｎ  １２ボルトＶＬ  Ｐｌｕｓ  ７０１２６９−ＷＶＬＬ−ＭＢ）を備えたチャンバにおいて内部で点灯した。看板ボックスは、内部チャンバにおいて反射性フィルム（３Ｍ  Ｌｉｇｈｔ  Ｅｎｈａｎｃｅｍｅｎｔ  Ｆｉｌｍ  ３６３５−１００）で裏打ちされ、光リサイクル面を作製した。内部チャンバがリサイクルキャビティであるように、図を面にわたって追加した。図４は、本実施例の参照図である。看板ボックス４１０は、２つの面５０ａ及び５０ｂを有する発光面を有する。像は、自然の景色５４ａ及び５４ｂを背後に有する、人５８（５８ａ及び５８ｂの２つに分かれている）である。
【００２４】
面５０ａのリサイクルキャビティ背後にある内部チャンバの片方の半分は、表面を、スペクトル修正層として０．３％の蛍光染料を備えるポリカーボネートフィルムで裏打ちされた。各実施例で使用されている蛍光染料のリストが表１に列挙されている。スポット１及び３は面５８ａ上で測定された（図形は蛍光染料の付いたフィルム上である）。スポット２及び４は、面５８ｂ上で測定された（図形は、光から比較的同じ位置にあり、像と比較的同じ色である、染色されていないフィルムの面上にある）。輝度及び色温度が測定され、結果を以下に示す。
【００２５】
【表１】
2015505416.tif 000003
【００２６】
本発明の様々な修正及び変形は、本発明の趣旨及び範囲から逸脱することなく、当業者に明らかであろう。
【図１】
2015505416.tif 000004
【図２】
2015505416.tif 000005
【図３】
2015505416.tif 000006
【図４】
2015505416.tif 000007
【国際調査報告】
2015505416.tif 000008
2015505416.tif 000009